(57)【要約】  【課題】分煙に適した喫煙スペースを室内に簡便に構築できるようにする。  【解決手段】建築構造物内の一部空間領域を喫煙スペースとして区画するパーティション２と、前記パーティション２により区画された喫煙スペースを負圧としつつ該喫煙スペース内の空気を排気する換気装置３と、前記換気装置３により排気される空気を前記建築構造物に予め設けられている開口Ｖへと導く変形可能なダクト４とを具備してなる什器を構成した。  【選択図】図１
2005195310.tif 000002
【特許請求の範囲】
【請求項１】
室内の一部空間領域を喫煙スペースとして区画する移動可能なパーティションと、
前記パーティションにより区画された喫煙スペースを負圧としつつ該喫煙スペース内の空気を排気する換気装置と、
前記換気装置により排気される空気を予め設けられた前記室内と室外とを連通する開口へと導く変形可能なダクトと
を具備してなる喫煙スペース構成什器。
【請求項２】
前記パーティションは、前記喫煙スペースの側方を隔てる側壁と、前記喫煙スペースの上方を閉じる天井とを備えるものである請求項１記載の喫煙スペース構成什器。
【請求項３】
前記パーティションにキャスターを装着して移動可能とした請求項１または２記載の喫煙スペース構成什器。
【請求項４】
前記側壁に喫煙者が出入りするための出入口を設け、かつ前記出入口を開閉する自閉式の引き戸を設けている請求項１、２または３記載の喫煙スペース構成什器。
【請求項５】
前記パーティションの少なくとも一部が、透光性または透視性を有する材料を用いて構成されている請求項１、２、３または４記載の喫煙スペース構成什器。
【発明の詳細な説明】
【技術分野】
【０００１】
本発明は、複数人が集う室内における分煙を好適に実現し得る喫煙スペース構成什器に関する。
【背景技術】
【０００２】
室内の一部空間領域に喫煙スペースを構築するために用いられる什器として、エアカーテンを備えたパーティション（下記特許文献を参照）が公知である。該パーティションは、喫煙スペースの内外を隔て、喫煙スペース外に紫煙が流出することを抑制して室内の分煙を図るものである。また、これに空気清浄機を付帯させ、喫煙スペース内を対流する空気を清浄化することが望ましいとされる。
【特許文献１】特開平１１−３０３２５９号公報
【発明の開示】
【発明が解決しようとする課題】
【０００３】
しかしながら、通常の空気清浄機は、集塵機能を発揮するもののガス化した有害物質を完全に取り除くことはできない。であるから、空気清浄機を使用したとしても、喫煙スペース外に有害物質が流出して室内を汚染することは厳密には避けられず、真の意味での分煙を実現するには至らない。
【０００４】
以上の問題に鑑みて、本発明は、分煙に適した喫煙スペースを室内に簡便に構築できるようにすることをその所期の目的としている。
【課題を解決するための手段】
【０００５】
上述の課題を解決するべくなされた本発明は、建築構造物における室内の一部空間領域を喫煙スペースとして区画する移動可能なパーティションと、前記パーティションにより区画された喫煙スペースを負圧としつつ該喫煙スペース内の空気を排気する換気装置と、前記換気装置により排気される空気を予め設けられた前記室内と室外とを連通する開口へと導くダクトとを具備してなる喫煙スペース構成什器である。
【０００６】
パーティションは、室内の一部空間領域を喫煙スペースとして隔てる構造体で、その内に喫煙者及び喫煙行為により発生するガスや塵等を囲い込む。換気装置は、パーティション内の喫煙スペースをパーティション外に対して負圧におき、ガスや塵等が室内における喫煙スペース以外の領域へ漏洩することを抑制する。このため、パーティション自体に格別の気密性は求められない。同時に、換気装置は、喫煙スペースで発生したガス、塵等を吸入しその吐出口から吐出する。該換気装置には、シロッコファン、軸流ファンその他種々の態様のものを採用できる。そして、ダクトは、基端側が換気装置の吐出口に接続され、先端側が建築構造物に元来設けられている開口に接続されて、換気装置が吐出するガス、塵等を建築構造物の開口へと導く。ここに言う開口とは、室内と室外（特に、屋外）とを連通するものであって、例えば部屋の壁面、天井または床面に既設の窓、出入口、通風口、エアーコンディショナー装置を設置するために利用される配管穴等がこれに該当する。結果として、喫煙スペースで発生したガス、塵等が適切に室外へと排出され、これらが室内における喫煙スペース以外の領域に流入して非喫煙者に不快感を与えることを回避できる。並びに、喫煙スペースの換気が適切に行われ、喫煙者にとってもより好ましい環境が実現される。
【０００７】
該喫煙スペース構成什器が移設可能であるように構成されていれば、喫煙スペースを所望の場所に設営できるのみならず、必要に応じて一時的に喫煙スペースを他所に移すようなことも可能となる。喫煙スペース構成什器を移設可能とするためには、それ自体を人力で移動させ得る程度の重量、寸法に設計するか、または、分解して運搬し再び組み立て得るように構成する。特に、キャスターを装着してあれば、容易に移動可能となり好ましい。加えて、ダクトは変形可能であり、前記開口に接続すべき先端側を変位させ得るものとしている。よって、建築構造物に設けられている開口の位置に合わせてダクトを変形させ、ダクトの先端部を簡便に開口に取り付けることができる。また、ダクトの先端部を建築構造物の開口に取り付けたままで、パーティション即ち喫煙スペースを移動させることも可能となる。本発明に係る喫煙スペース構成什器を用いることで、集塵、脱臭を行うエアーコンディショナー装置を取り付けたり汚れた空気を屋外へ送る送風管を設置したりするような大がかりな施工を建築構造物に対して行うことなく、室内の所望の場所に簡便に喫煙スペースを構築することができる。
【０００８】
喫煙行為により発生する副流煙は、煙草が燃焼して生じる高温なものであるため上昇して拡散する。従って、前記パーティションを、前記喫煙スペースの側方を隔てる側壁と、前記喫煙スペースの上方を閉じる天井とを備えるものとし、拡散する副流煙を天井で遮りその漏洩を抑止することが望ましい。
【０００９】
前記側壁に喫煙者が出入りするための出入口を設け、かつ前記出入口を開閉する自閉式のドアを設けてあれば、出入口が開放されたままの状態となってガス、塵等が室内における喫煙スペース以外の領域に流入するおそれを回避できる。さらに、出入口を開閉するドアをパーティションの側面に沿って移動する引き戸とすれば、その開閉動作に要する空間を節約できる。該引き戸が吊り戸であれば、必ずしも室内の床面と係わり合わせずともよく、床面自体に特段の施工を行う必要がない。
【００１０】
該喫煙スペース構成什器は室内に配置され、その一部を占拠するものであるため、非喫煙者及び喫煙者に対し圧迫感、閉塞感等を与えないようなものとすることが求められる。前記パーティションの少なくとも一部が、透光性または透視性を有する材料を用いて構成されていれば、圧迫感や閉塞感等を与えにくいものとなる。また、喫煙スペースの内外の見通しを確保することにつながり、非喫煙者、喫煙者の在／不在の視認も可能となる。さらに、建築構造物内における照明の光が透過するので、喫煙スペース内に設けるべき照明装置を簡素化または省略化できる。
【発明の効果】
【００１１】
以上に詳述した本発明によれば、分煙に適した喫煙スペースを室内に簡便に構築可能である。
【発明を実施するための最良の形態】
【００１２】
以下、本発明の一実施形態を、図面を参照して説明する。本実施形態における喫煙スペース構成什器１は、例えばオフィス等の複数人が集う室内に配置され用いられるものである。本実施形態の喫煙スペース構成什器１は、図１及び図２に示すように、室内の一部空間領域を喫煙スペースとして区画するパーティション２と、喫煙スペースを負圧としつつ喫煙スペース内の空気を排気する換気装置３と、換気装置３によって排気される空気を室外へと導くダクト４とを具備する。
【００１３】
詳述すると、パーティション２は、図３ないし図５に示すように、喫煙スペースの側方を遮る側壁５と、喫煙スペースの上方を遮る天井６とを備え、室内を移動可能であるように構成された自立性を有するものである。側壁５は、略垂直に立てられた複数本の支柱２１間に巾木２２、笠木２３及び横桟２４を架け渡し、これらに包囲された領域にアクリル板等の透光性または透視性を有するパネル２５を装着してなる。図示例では、側壁５を、喫煙スペースの四方に平面視枡形をなすように配している。各支柱２１の下端には、キャスター７を取り付けてある。そして、側壁５の所定部位に喫煙者が出入りするための出入口５１を形成するとともに、出入口５１を開閉する自閉式のドア５２を設ける。本実施形態では、ドア５２を吊り引き戸としている。該吊り引き戸の基本構成は、周知のものと同様である。即ち、側壁５の上端部に設けたレール５２１に戸車（図示せず）を介して戸５２２を支持させたものである。
【００１４】
天井６は、対向する笠木２３の中間部位同士を連結するように梁２６を架け渡し、笠木２３と梁２６とに包囲された領域にアクリル板等の透光性または透視性を有する天井板２７を装着してなる。側壁５及び側壁５に支持された天井６により、喫煙スペースを内包する筐体状のパーティション２が構築される。しかして、パーティション２の一部に換気口６１を形成し、該換気口６１に換気装置３を設置する。本実施形態では、天井６の所定領域に天井板２７で閉止しない換気口６１を設けるものとし、該換気口６１の縁辺を形成するフレーム２８を笠木２３、梁２６に支持させるように取り付けている。なお、側壁５と天井６とを分解して運搬し再び完成状態に組み立てできるように構成することも好ましい。
【００１５】
換気装置３は、内蔵しているシロッコファン、軸流ファン等（図示せず）を電動モータ（図示せず）で回転駆動することで空気を吸入口から吸入し、吐出口から吐出する装置である。本実施形態における換気装置３は、下方に吸入口を、側方に吐出口を有する既知のもので、その吸入口をパーティション２の換気口６１に接合するように天井６上に設置する。該換気装置３を運転すれば、喫煙スペース内が喫煙スペース外に対して負圧となり、喫煙スペース内の空気が排気される。換気装置３の運転状態を制御する際に操作される操作スイッチ３２は、図２に示しているように、パーティション２の内側、より具体的には支柱２１の内向側面に設けてある。操作スイッチ３２は、換気装置３内の電気回路に結線され、換気装置３の運転のＯＮ／ＯＦＦや換気装置３による排気の強度の調整等を行い得るものである。因みに、図示例では、換気口６１及び換気装置３の吸入口を覆うルーバ３１を取り付けており、これらが喫煙スペース内から見て露わにならないようにしている。
【００１６】
ダクト４は、蛇腹の本体を有する変形自在な筒状体である。ダクト４の基端部は、換気装置３の吐出口に接続している。他方、ダクト４の先端部には、フランジ状の取付板４１を設けてある。喫煙スペースの設営に際し、該取付板４１を建築構造物に予め設けられている窓、出入口、通風口、配管穴等の開口Ｖの周縁部に取り付けることで、ダクト４の先端部を上記の開口Ｖに接続できる。ダクト４の先端部を建築構造物の開口Ｖに接続した状態で、換気装置３の吐出口と建築構造物の開口Ｖとが連通する。この状態で換気装置３を運転すれば、パーティション２に囲い込まれた喫煙スペース内の汚れた空気が換気口６１、ダクト４及び開口Ｖを経て室外に排出される。
【００１７】
本実施形態によれば、建築構造物内の一部空間領域を喫煙スペースとして区画する移動可能なパーティション２と、前記パーティション２により区画された喫煙スペースを負圧としつつ該喫煙スペース内の空気を排気する換気装置３と、前記換気装置３により排気される空気を前記建築構造物に予め設けられている開口Ｖへと導く変形可能なダクト４とを具備してなる喫煙スペース構成什器１を構成したため、建築構造物そのものに大がかりな施工を行うことなく、室内の所望の場所に簡便に喫煙スペースを構築できる。喫煙スペースで発生したガス、塵等は適切に室外へと排出され、これらが室内における喫煙スペース以外の領域に流入して非喫煙者に不快感を与えることを回避できる。並びに、喫煙スペースの換気が適切に行われ、喫煙者にとってもより好ましい環境が実現される。
【００１８】
前記パーティション２を、前記喫煙スペースの側方を隔てる側壁５と、喫煙スペースの上方を閉じる天井６とを備えるものとしたため、上昇して拡散する副流煙を天井６で遮りその漏洩を抑止できる。喫煙スペース構成什器１自体が天井６を有するものとなることから、室内の天井高さに依存することなく種々の条件下で使用可能となる。また、換気装置３を天井６に設置できるようになる。換気装置３を天井６に設置していれば、外側方からはこれが見えにくくなり、外観の向上ももたらされる。
【００１９】
パーティション２の側壁５の下端部にキャスター７を装着してその移動を容易ならしめているため、喫煙スペースを所望の場所に設営できるのみならず、必要に応じて一時的に喫煙スペースを他所に移すようなことも可能である。
【００２０】
前記側壁５に喫煙者が出入りするための出入口５１を設け、かつ前記出入口５１を開閉する自閉式のドア５２を設けているため、出入口５１が開放されたままの状態となってガス、塵等が室内における喫煙スペース以外の領域に流入するおそれを回避できる。さらに、出入口５１を開閉するドア５２をパーティション２の側面に沿って移動する引き戸としており、その開閉動作に要する空間を節約している。加えて、該引き戸は吊り戸であるので、室内の床面と係わり合わせずともよく、床面自体に特段の施工を行う必要がない。
【００２１】
パーティション２の側壁５、天井６の少なくとも一部に透光性または透視性を有する材料、即ちアクリルのパネル２５、天井板２７を用いているため、非喫煙者及び喫煙者に与える圧迫感や閉塞感等が低減される。また、喫煙スペースの内外の見通しを確保することにつながり、非喫煙者、喫煙者の在／不在の視認も可能となる。さらに、建築構造物内における照明の光が透過するので、喫煙スペース内に設けるべき照明装置を簡素化または省略化できる。
【００２２】
なお、本発明は以上に詳述した実施形態に限られるものではない。特に、喫煙スペースを区画するパーティション２の態様は、上記実施形態におけるものには限定されず種々の変形が可能である。例えば、換気口６１及び換気装置３を、天井６にではなく側壁５に設けることができる。
【００２３】
側壁５が平板な外形を有するとは限られず、平面視弧状をなすような湾曲した外形を有するものとしても構わない。天井６もまた、平板な外形を有するとは限られず、アーチ状やドーム状等の湾曲形状に成形することができる。
【００２４】
さらに、側壁５が、喫煙スペースの四方に配されるとは限られない。建築構造物の内壁Ｗに隣接させて喫煙スペースを設営する場合、建築構造物の内壁Ｗを利用して喫煙スペースを閉じることが可能であり、必ずしも喫煙スペースの四方に側壁５を配する必要はない。図６に例示するように、喫煙スペースの三方を隔てる側壁５を備える喫煙スペース構成什器１Ｘを構成し、開放している残りの一方を建築構造物の内壁Ｗで閉じるように配置して使用するものとしてもよい。あるいは、図７に例示するように、喫煙スペースの二方を隔てる側壁５を備える喫煙スペース構成什器１Ｙを構成し、これを室内の隅角部に配置して開放している残りの二方を閉じるものとしてもよい。
【００２５】
パーティション２が、総体として剛性を有するものであるとも限られない。テントの如く、一部が可撓性を有するものであってもよい。
【００２６】
出入口５１を開閉するドア５２として自閉式の吊り引き戸以外のドア、即ち自閉式でない引き戸や、蝶番を介して取り付けられたドア、回転ドア等を出入口５１に設けることも考えられる。
【００２７】
その他各部の具体的構成は上記実施形態に限られるものではなく、本発明の趣旨を逸脱しない範囲で種々変形が可能である。
【図面の簡単な説明】
【００２８】
【図１】本発明の一実施形態における喫煙スペース構成什器を示す斜視図。
【図２】同喫煙スペース構成什器を喫煙スペース内から見た状態を示す要部斜視図。
【図３】同実施形態のパーティションを示す正面図。
【図４】同パーティションを示す側面図。
【図５】同パーティションを示す上面図。
【図６】本発明に係る喫煙スペース構成什器の一変形例を示す平断面図。
【図７】本発明に係る喫煙スペース構成什器の一変形例を示す平断面図。
【符号の説明】
【００２９】
１…喫煙スペース構成什器
２…パーティション
３…換気装置
４…ダクト
５…側壁
５２…ドア
６…天井
７…キャスター
Ｖ…建築構造物の開口
【図１】
2005195310.tif 000003
【図２】
2005195310.tif 000004
【図３】
2005195310.tif 000005
【図４】
2005195310.tif 000006
【図５】
2005195310.tif 000007
【図６】
2005195310.tif 000008
【図７】
2005195310.tif 000009